(57)【要約】【課題】回線終端装置の設置時における工事担当者の作業を可能な限り自動化し、登録作業の軽減と正確性の向上を図る。【解決手段】ＯＮＵ登録装置１２は、ＯＬＴ２３に登録するＯＮＵ１１にバーコード表示されたシリアル番号を入力するためのバーコードデータ読取部１３と、バーコードデータを、通信回線によりＯｐＳ２４を介してＯＬＴ２３へ送信するバーコードデータ送信部１４と、ＯＬＴ２３から、ＯＮＵ１１の登録確認通知を受信する登録確認受信部を備える。【選択図】        図１
2004214928.tif 000002
【特許請求の範囲】
【請求項１】
中央管理装置に登録すべきユーザ端末のインタフェースに割り当てられた固有情報を入力するための固有情報入力部と、
上記固有情報を、通信回線を通じて上記中央管理装置へ送信する固有情報送信部と、
上記中央管理装置から、上記インタフェースの登録確認通知を受信する登録確認受信部と、
上記登録確認受信部から通知された上記登録確認通知を作業者へ通知する通知部を備えたインタフェース登録装置。
【請求項２】
インタフェースに割り当てられた固有情報を機械で読み取り可能な形式で記憶しており、上記インタフェースに取り付けられている記録媒体から、固有情報入力部は上記固有情報を読み取ることを特徴とする請求項１記載のインタフェース登録装置。
【請求項３】
固有情報入力部は、バーコード読取装置であることを特徴とする請求項２記載のインタフェース登録装置。
【請求項４】
固有情報入力部は、ＩＣチップ読取装置であることを特徴とする請求項２記載のインタフェース登録装置。
【請求項５】
登録されたインタフェースの接続試験の開始および終了の要求を中央管理装置へ送信する試験開始／終了命令送信部と、
上記中央管理装置から、上記開始の要求に対する確認通知および上記終了の要求に対する試験結果通知を受信して、通知部に試験結果を通知させる試験結果確認受信部を備えたことを特徴とする請求項１から請求項４のうちのいずれか１項記載のインタフェース登録装置。
【請求項６】
登録されたインタフェースの起動または起動停止の要求を中央管理装置へ送信するインタフェース起動／停止命令送信部と、
上記中央管理装置から、上記起動の要求に対する確認通知または上記起動停止の要求に対する確認通知を受信して、通知部に試験結果を通知させるインタフェース起動／停止確認受信部を備えたことを特徴とする請求項１から請求項５のうちのいずれか１項記載のインタフェース登録装置。
【発明の詳細な説明】
【０００１】
【発明の属する技術分野】
この発明は、通信を行うユーザ端末のインタフェースの固有情報を管理装置に登録するインタフェース登録装置に関するものである。
【０００２】
【従来の技術】
従来、通信サービス網の加入者宅に設置される、通信を行うユーザ端末のインタフェースを中央管理装置へ登録する場合には、工事担当者が加入者宅へ出向き、管理センターのオペレータと工事担当者の間で電話等を用いて、回線終端装置のシリアル番号の連絡や、接続試験の要求および結果確認などのやり取りを行う必要があった。
【０００３】
例えば、ＩＴＵ−Ｔ勧告  Ｇ．９８３．１の８．４．１．１には、ＰＯＮ（Ｐａｓｓｉｖｅ  Ｏｐｔｉｃａｌ  Ｎｅｔｗｏｒｋｓ）におけるユーザ端末のインタフェースであるＯＮＵ（Ｏｐｔｉｃａｌ  Ｎｅｔｗｏｒｋ  Ｕｎｉｔ）の設置方法として、２つの方法が示されている。そのうち、方法Ａでは、局側のＯｐＳ（Ｏｐｅｒａｔｉｏｎ  Ｓｙｓｔｅｍ）を介してＯＮＵのシリアル番号を中央管理装置としての局側の端末であるＯＬＴ（Ｏｐｔｉｃａｌ  Ｌｉｎｅ  Ｔｅｒｍｉｎａｔｉｏｎ）に登録する。従来のＡＴＭ−ＰＯＮでは、実際にこの方法によりＯＮＵが登録されている。
【０００４】
ＯＮＵの登録方法について具体的に説明する。
工事担当者は、加入者宅でＯＮＵの裏面等に表示されているシリアル番号を確認し、電話等を使用してＯｐＳのオペレータにシリアル番号を連絡する。オペレータは通知されたシリアル番号をＯｐＳを介して手動でＯＬＴに登録する。
【０００５】
また、ＯＮＵ登録後に接続確認のための試験を行う場合には、工事担当者は、試験用端末を持参し、ＯＮＵに接続する。工事担当者が電話等によりＯｐＳのオペレータに試験接続開始を要求すると、オペレータはＯｐＳを介してＯＬＴを操作し、試験接続を開始する。試験接続されると、工事担当者は試験用端末を使用して接続試験を行う。試験終了時にも同様に電話連絡にて試験接続を停止する。
【０００６】
また、接続試験の後は、工事担当者は試験用端末をＯＮＵから取り外し、加入者のユーザ端末をＯＮＵに接続したら、再びオペレータに電話連絡し、ＯＮＵの起動を依頼する。
【０００７】
このように、従来は、ＯＮＵの登録、試験、起動および停止を局側のＯＬＴに依頼する際には、その都度、工事担当者と局側のオペレータの間で電話等による連絡をする必要があった。
【０００８】
従って、ユーザがＯＮＵの新規接続あるいは移動をする場合には、ＯＮＵの登録に時間がかかり、また、工事担当者やＯｐＳのオペレータの作業負担も大きかった。特に、ＰＯＮのようなシステムでは、１つのＯＬＴに対してｎ個のＯＮＵの登録変更作業が必要となり、多くの手間と時間を必要としていた。
【０００９】
なお、通信端末装置の新規登録時の手間を軽減するための従来技術には、以下のようなものがある。
例えば特許文献１において開示される通信装置は、通信回線への発呼の際に、当該通信端末についての端末設定情報を通信端末に付着したバーコードから読み取るバーコード読み取り装置を備え、読み込んだ端末設定情報に基づいて通信回線への接続制御を行う。
【００１０】
また、特許文献２において開示される端末登録システムでは、加入者終端装置は登録時に分散ハブの多重化制御装置から指示された登録要求スロットを用いて登録要求を送出する。登録が承認され、当該加入者終端装置の識別番号が登録されると、多重化制御装置はその旨を要求元の加入者終端装置へ通知するとともに自身の記憶エリアに加入者識別番号を登録する。
【００１１】
【特許文献１】
特開平０６−２７６３０７号公報
【特許文献２】
特開平１０−１１２７２３号公報
【００１２】
【発明が解決しようとする課題】
従来の端末登録方法においては、端末設置工事担当者と局側のオペレータとの間で電話等によるやり取りが必要であり、作業に手間と時間がかかるうえに、端末のシリアル番号等の通知の伝え間違いも発生しやすいという問題があった。
【００１３】
特許文献１または特許文献２に開示された従来技術のように、通信端末自身が通信回線を通じて発呼を行うための接続処理に関しては自動化する方法があった。しかし、自身を中央管理装置に登録する手段を持たないインタフェース（例えば、ＯＮＵ）については、簡易な登録を行う技術が開発されていない。
【００１４】
この発明は上記のような課題を解決するためになされたもので、回線終端装置等の端末設置時における工事担当者の作業を可能な限り自動化し、登録作業の軽減と正確性の向上を図ることを目的とする。
【００１５】
【課題を解決するための手段】
この発明に係るインタフェース登録装置は、中央管理装置に登録すべきユーザ端末のインタフェースに割り当てられた固有情報を入力するための固有情報入力部と、固有情報を、通信回線を通じて中央管理装置へ送信する固有情報送信部と、中央管理装置からインタフェースの登録確認通知を受信する登録確認受信部と、登録確認受信部から通知された登録確認通知を作業者へ通知する通知部を備えたものである。
【００１６】
【発明の実施の形態】
以下、この発明の実施の形態を説明する。
実施の形態１．
図１は、この発明の実施の形態１による、ＯＮＵ登録装置（インタフェース登録装置）を含む登録システムの構成図である。
ＯＮＵ登録装置１２は、加入者宅に設置されたＯＮＵ１１（インタフェース）をＯＬＴ２３に登録する際、工事担当者が加入者宅に持参して使用する装置である。ＯＮＵ１１は、光ネットワークを介してＯＬＴ２３と接続することができる。
ＯＮＵ登録装置１２は、バーコードデータ読取部１３（固有情報入力部）、バーコードデータ送信部１４（固有情報送信部）、登録確認受信部１５、試験指令部１６、試験開始／終了命令送信部１７、試験開始確認／結果受信部１８（試験結果確認受信部）、ＯＮＵ起動／停止命令送信部１９（端末起動停止命令送信部）、ＯＮＵ起動／停止確認受信部２０（端末起動停止確認受信部）、表示部２１（通知部）、および入力部２２を有する。このうち、バーコードデータ送信部１４、登録確認受信部１５、試験開始／終了命令送信部１７、試験開始確認／結果受信部１８、ＯＮＵ起動／停止命令送信部１９、ＯＮＵ起動／停止確認受信部２０は、実際にはＯＮＵ登録装置１２のプロセッサを便宜的に機能すなわちソフトウェアのモジュールにしたがって分類したものである。
【００１７】
ＯＬＴ２３（中央管理装置）は局側の端末であり、光ネットワークを介して複数のＯＮＵと接続されている。ＯＬＴ２３は、ＯｐＳ２４（中央管理装置）に接続されており、ＯｐＳ２４を介して操作される。
【００１８】
次に、ＯＮＵ登録装置１２を用いたＯＮＵ１１の登録、接続試験、起動／停止の処理について説明する。図２は、ＯＮＵ１１の登録、接続試験および起動／停止処理のシーケンス図である。
【００１９】
まず、ＯＮＵ１１の登録処理について説明する。
ＯＮＵ登録装置１２は、電話回線等を介して局側のＯｐＳ２４に接続される。ＯＮＵ１１の裏面等には、例えば図３に示すように、シリアル番号がバーコード（記録媒体）で表示されている。工事担当者がＯＮＵ登録装置１２を使用して、ＯＮＵ１１に記載されたバーコードの読み取り操作をすると、バーコードデータ読取部１３によりＯＮＵ１１のバーコードが読み込まれる（ステップＳＴ１）。読み込まれた内容は、表示部２１により、図４に示すようなＯＮＵ登録装置１２上の操作画面に表示される。図中、保守アクションはＯＮＵ登録装置１２が現在行っている処理を意味しており、ここには、「登録」、「接続試験開始」、「接続試験停止」、「ＯＮＵ起動」、「ＯＮＵ停止」等が表示される。システム名は、操作対象のＯＮＵのシリアル番号が表示される。登録時には、この表示によりバーコードデータとして読み込まれたＯＮＵのシリアル番号を確認することができる。
また、画面下には、指で触れると触れた箇所に該当する指令をＯＮＵ登録装置１２のバーコードデータ送信部１４、試験開始／終了命令送信部１７、ＯＮＵ起動／停止命令送信部１９に伝達するキーボード２５が備えられている。工事担当者がキーボード２５を使用して、保守アクションの選択等の入力を行うと、入力部２２を介してＯＮＵ登録装置１２の各部に伝えられる。
読み取られたバーコードデータは、バーコードデータ送信部１４によって回線を通してＯｐＳ２４に送信される（ステップＳＴ２）。ＯｐＳ２４では、送信されたＯＮＵ１１のシリアル番号を自動的にＯＬＴ２３に通知し、これによりＯＮＵ１１がＯＬＴ２３のデータベースに登録される（ステップＳＴ３）。ＯＮＵ１１がＯＬＴ２３に登録されると、登録確認がＯＬＴ２３からＯｐＳ２４を介してＯＮＵ登録装置１２に通知される（ステップＳＴ４、ステップＳＴ５）。登録確認受信部１５は、表示部２１を介して登録結果を操作画面上に表示する。工事担当者は、画面の表示内容によりＯＮＵ１１の登録を確認する。
【００２０】
次に、ＯＮＵ１１の接続試験処理について説明する。
ＯＮＵ１１が登録されると、工事担当者は、ＯＮＵ１１のＯＬＴ２３への接続確認のための試験を行う。
ＯＮＵ登録装置１２は、電話回線等を介して局側のＯｐＳ２４に接続されている。工事担当者の操作により、ＯＮＵ登録装置１２の試験指令部１６がＯＮＵ１１の網側インタフェース（図示せず）に接続される（ステップＳＴ６）。工事担当者は試験指令部１６を操作して接続試験を行う。接続試験では、まず、担当者がキーボード２５を操作することにより、試験開始／終了命令送信部１７に指令が伝達され、試験開始要求がＯｐＳ２４に送信される（ステップＳＴ７）。ＯｐＳ２４は、試験開始要求を受け取ると、ＯＬＴ２３に対して接続試験の開始要求を通知する（ステップＳＴ８）。ＯＬＴ２３は受け取った試験開始要求に対して、試験開始確認をＯｐＳ２４経由でＯＮＵ登録装置１２に通知する（ステップＳＴ９、ステップＳＴ１０）。
【００２１】
ＯＮＵ登録装置１２が試験開始確認を受け取ると、試験開始確認／結果受信部１８は、表示部２１を介して操作画面上に試験開始の通知を表示する。工事担当者は画面表示を確認したら、試験指令部１６によりＯＮＵ１１の接続試験を行う。具体的には、試験指令部１６はＯＮＵ１１に所定の信号を送信し、ＯＮＵ１１はその信号に応じてＯＬＴ２３と交信する。ＯＬＴ２３は交信内容を解析して接続の良否を判断する。また、ＯＮＵ１１は交信内容を試験指令部１６へ通知し、試験指令部１６は、表示部２１を介して操作画面（図４）に交信内容を表示する。
【００２２】
試験指令部１６による接続試験が終了すると、試験開始／終了命令送信部１７により試験停止要求がＯｐＳ２４に送信される（ステップＳＴ１１）。ＯｐＳ２４は、試験停止要求を受け取ると、ＯＬＴ２３に対して接続試験の停止要求を通知する（ステップＳＴ１２）。ＯＬＴ２３は受け取った試験停止要求に対して、ＯＬＴ２３が判断した試験結果をＯｐＳ２４経由でＯＮＵ登録装置１２に通知する（ステップＳＴ１３、ステップＳＴ１４）。
【００２３】
ＯＮＵ登録装置１２が試験結果を受け取ると、試験開始確認／結果受信部１８は、表示部２１を介して操作画面上に試験結果を表示する。工事担当者は、画面の表示内容により試験結果を確認する。
【００２４】
次に、ＯＮＵ１１の起動／停止処理について説明する。
工事担当者は、ＯＮＵ１１の接続試験が終了したら、ＯＮＵ１１から試験指令部１６を取り外し、加入者のユーザ端末をＯＮＵ１１に接続する（ステップＳＴ１５）。一方、ＯＮＵ登録装置１２は、電話回線等を介して局側のＯｐＳ２４に接続されている。
工事担当者のキーボード２５の操作により、ＯＮＵ起動／停止命令送信部１９がＯＮＵ起動要求をＯｐＳ２４に送信する（ステップＳＴ１６）。ＯｐＳ２４は、起動要求を受け取ると、ＯＬＴ２３に対してＯＮＵ１１の起動要求を通知する（ステップＳＴ１７）。ＯＬＴ２３は受け取った起動要求に対して、起動確認をＯｐＳ２４経由でＯＮＵ登録装置１２に通知する（ステップＳＴ１８、ステップＳＴ１９）。
【００２５】
ＯＮＵ登録装置１２が起動確認を受け取ると、ＯＮＵ起動／停止確認受信部２０は、表示部２１を介して操作画面上に起動確認を表示する。工事担当者は、画面の表示内容によりＯＮＵ１１が起動されたことを確認する。
【００２６】
また、ＯＮＵ１１の移動などのためにＯＮＵ１１の接続を停止する際にも、起動時と同様にＯＮＵ登録装置１２によって制御する。ＯＮＵ登録装置１２は、電話回線等を介して局側のＯｐＳ２４に接続され、工事担当者の操作により、ＯＮＵ起動／停止命令送信部１９がＯＮＵ停止要求をＯｐＳ２４に送信する（ステップＳＴ２０）。ＯｐＳ２４は、ＯＬＴ２３に対してＯＮＵ１１の停止要求を通知し（ステップＳＴ２１）、ＯＬＴ２３は受け取った停止要求に対して停止確認をＯｐＳ２４経由でＯＮＵ登録装置１２に通知する（ステップＳＴ２２、ステップＳＴ２３）。
【００２７】
ＯＮＵ登録装置１２が停止確認を受け取ると、ＯＮＵ起動／停止確認受信部２０は、表示部２１を介して操作画面上に停止確認を表示する。
【００２８】
以上のように、この実施の形態１によれば、ＯＮＵ１１のシリアル番号をＯＮＵ１１上にバーコード表示し、ＯＮＵ登録装置１２のバーコード読取機能を用いて読み込んだバーコードを、自動的にＯｐＳ２４を介してＯＬＴ２３へ登録するようにした。また、ＯＮＵ１１の接続試験、起動および停止を行う際にも、ＯＮＵ登録装置１２を用いてＯＬＴ２３に処理命令を通知するようにしたので、工事担当者や局側でＯｐＳ２４を操作するオペレータの作業負担を軽減し、登録処理、起動処理に要する時間を短縮できるという効果が得られる。また、登録処理の自動化により、ＯＮＵ１１のシリアル番号等の登録間違いを防止することができる。
【００２９】
なお、実施の形態１では、ＯＮＵ１１のシリアル番号の表示方法としてバーコードを用いているが、ＯＮＵ１１上に、シリアル番号等の情報を搭載したＩＣチップ等を付けてもよい。一方、ＯＮＵ登録装置１２には、バーコード読取部１３の代わりに、ＩＣチップ等の読取部を備えてもよい。読取方法は直接接触方式でも遠隔方式でもよい。また、キーボード２５を使って入力してもよい。
【００３０】
【発明の効果】
この発明によれば、中央管理装置に登録すべきユーザ端末のインタフェースに割り当てられた固有情報の入力を受ける固有情報入力部と、固有情報を、通信回線を通じて中央管理装置へ送信する固有情報送信部と、中央管理装置からインタフェースの登録確認通知を受信する登録確認受信部と、登録確認受信部から通知された登録確認通知を作業者へ通知する通知部を備えるようにしたので、回線終端装置の設置時における工事担当者の作業を可能な限り自動化し、登録作業の軽減と正確性の向上を図ることができる。
【図面の簡単な説明】
【図１】この発明の実施の形態１による、インタフェース登録装置を含む端末登録システムの構成図である。
【図２】この発明の実施の形態１による、ＯＮＵの登録、接続試験および起動／停止処理のシーケンス図である。
【図３】この発明の実施の形態１による、ＯＮＵのシリアル番号のバーコード表示例を示した図である。
【図４】この発明の実施の形態１による、インタフェース登録装置の画面表示例を示した図である。
【符号の説明】
１１  ＯＮＵ（インタフェース）、１２  ＯＮＵ登録装置（インタフェース登録装置）、１３  バーコードデータ読取部（固有情報入力部）、１４  バーコードデータ送信部（固有情報送信部）、１５  登録確認受信部、１６  試験指令部、１７  試験開始／終了命令送信部、１８  試験開始確認／結果受信部（試験結果確認受信部）、１９  ＯＮＵ起動／停止命令送信部（インタフェース起動／停止命令送信部）、２０  ＯＮＵ起動／停止確認受信部（インタフェース起動／停止確認受信部）、２１  表示部（通知部）、２２  入力部、２３  ＯＬＴ（中央管理装置）、２４  ＯｐＳ（中央管理装置）、２５  キーボード。
【図１】
2004214928.tif 000003
【図２】
2004214928.tif 000004
【図３】
2004214928.tif 000005
【図４】
2004214928.tif 000006